(57)【要約】【課題】比較的映像表示部が大きい電子機器と、この電子機器よりも比較的映像表示部が小さい電子機器（他の電子機器）が無線ＬＡＮ等で接続されている場合に、比較的映像表示部が小さい他の電子機器に表示された映像の一部を拡大し、比較的映像表示部が大きい電子機器で視聴できるようにして、ユーザの利便性を向上させることが課題になっていた。【解決手段】実施形態の電子機器は、映像表示部に表示された映像の映像データを、予め設定されている他の電子機器で表示可能となるようにトランスコードして出力する出力部を備える。  また、前記他の電子機器から出力された、映像の拡大表示の位置情報を取得する取得部を備える。  また、前記取得された映像の拡大表示の位置情報を用い、拡大表示用の映像信号を生成し、前記映像表示部に表示する表示部を備える。【選択図】  図１
2014209693.tif 000002
【特許請求の範囲】
【請求項１】
映像表示部に表示された映像の映像データを、予め設定されている他の電子機器で表示可能となるようにトランスコードして出力する出力部と、
前記他の電子機器から出力された、映像の拡大表示の位置情報を取得する取得部と、
前記取得された映像の拡大表示の位置情報を用い、拡大表示用の映像信号を生成し、前記映像表示部に表示する表示部を備える電子機器。
【請求項２】
前記映像の拡大表示の位置情報は、前記他の電子機器がユーザ操作された情報である請求項１に記載の電子機器。
【請求項３】
前記映像の拡大表示の位置情報を含む信号の受信を検出する検出部を備える請求項１または請求項２に記載の電子機器。
【請求項４】
前記映像の拡大表示の位置情報を含む信号の受信が検出された場合に、前記拡大表示用の映像信号を生成する請求項３に記載の電子機器。
【請求項５】
前記ユーザ操作は、タッチ操作を含む請求項２乃至請求項４のいずれかに記載の電子機器。
【請求項６】
映像表示部に表示された映像の映像データを、予め設定されている他の電子機器で表示可能となるようにトランスコードして出力するステップと、
前記他の電子機器から出力された、映像の拡大表示の位置情報を取得するステップと、
前記取得された映像の拡大表示の位置情報を用い、拡大表示用の映像信号を生成し、前記映像表示部に表示するステップを備え、電子機器を制御する電子機器の制御方法。
【請求項７】
映像表示部に表示された映像の映像データを、予め設定されている他の電子機器で表示可能となるようにトランスコードして出力するステップと、
前記他の電子機器から出力された、映像の拡大表示の位置情報を取得するステップと、
前記取得された映像の拡大表示の位置情報を用い、拡大表示用の映像信号を生成し、前記映像表示部に表示するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、例えば、テレビ等の比較的映像表示部が大きい電子機器と、タブレットＰＣ等のテレビよりも比較的映像表示部が小さい電子機器（他の電子機器）が無線ＬＡＮ等で接続され、電子機器に表示した映像を他の電子機器に送信し、ユーザは、この他の電子機器に表示された映像を視聴することが可能になっている。
【０００３】
しかし、この場合、他の電子機器は、上記のように電子機器（テレビ）よりも比較的映像表示部が小さいため、他の電子機器に表示された映像を見にくい場合があることが問題になっていた。
【０００４】
このため、比較的映像表示部が大きい電子機器と、この電子機器よりも比較的映像表示部が小さい電子機器（他の電子機器）が無線ＬＡＮ等で接続されている場合に、比較的映像表示部が小さい他の電子機器に表示された映像の一部を拡大し、比較的映像表示部が大きい電子機器で視聴できるようにして、ユーザの利便性を向上させることが課題になっていた。
【先行技術文献】
【特許文献】
【０００５】
【特許文献１】特開２００５−３７２３号公報
【特許文献２】特開２００６−８０９１６号公報
【発明の概要】
【発明が解決しようとする課題】
【０００６】
比較的映像表示部が大きい電子機器と、この電子機器よりも比較的映像表示部が小さい電子機器（他の電子機器）が無線ＬＡＮ等で接続されている場合に、比較的映像表示部が小さい他の電子機器に表示された映像の一部を拡大し、比較的映像表示部が大きい電子機器で視聴できるようにして、ユーザの利便性を向上させることが課題になっていた。
【課題を解決するための手段】
【０００７】
実施形態の電子機器は、映像表示部に表示された映像の映像データを、予め設定されている他の電子機器で表示可能となるようにトランスコードして出力する出力部を備える。
【０００８】
また、前記他の電子機器から出力された、映像の拡大表示の位置情報を取得する取得部を備える。
【０００９】
また、前記取得された映像の拡大表示の位置情報を用い、拡大表示用の映像信号を生成し、前記映像表示部に表示する表示部を備える。
【図面の簡単な説明】
【００１０】
【図１】実施形態に係る電子機器と他の電子機器に係るシステムの一例を示す図。
【図２】実施形態に係る電子機器の構成と他の電子機器の構成を示すブロック図。
【図３】実施形態に係る電子機器と他の電子機器の動作を説明するフローチャート。
【図４】実施形態に係る電子機器の動作を説明するフローチャート。
【発明を実施するための形態】
【００１１】
以下、図面を参照し、実施の形態を説明する。
【００１２】
図１は、実施形態に係る電子機器と他の電子機器に係るシステムの一例を示す図である。
【００１３】
特に図示しないが、ここでは、まず、電子機器（テレビ）１の表示画面（映像表示部）８に、映像が表示される（メインスクリーン）。
【００１４】
そして、電子機器（テレビ）１は、この表示画面（映像表示部）８に表示された映像の映像データを、例えば、予め設定されている他の電子機器（タブレットＰＣ）２で表示可能となるようにトランスコードして、他の電子機器（タブレットＰＣ）２に向けて出力する（出力部）。
【００１５】
例えば、図１に示すように、表示画面（映像表示部）８に表示出力された全体映像の映像データを、例えば、無線ＬＡＮ等を経由して、他の電子機器（タブレットＰＣ）２へ向けて送信する。
【００１６】
そして、他の電子機器（タブレットＰＣ）２は、電子機器（テレビ）１から出力された、トランスコードされた、表示画面（映像表示部）８に表示された映像の映像データを受信し、他の電子機器（タブレットＰＣ）２の表示画面９に表示出力する（セカンドスクリーン）。
【００１７】
ユーザは、この表示画面９に表示出力された全体映像の映像を見ながら、ユーザ操作（例えば、マルチタッチ等のタッチ操作）３２を行い、例えば、電子機器（テレビ）１の表示画面（映像表示部）８で、拡大表示を行う映像の位置（拡大表示の位置）を指定する。
【００１８】
ここでは、図１に示すように、例えば、ユーザ操作３２によって、表示画面９に表示出力された、全体映像の「山」の映像の拡大表示の位置が指定される。
【００１９】
そして、この映像の拡大表示の位置の情報（拡大表示位置情報）は、他の電子機器（タブレットＰＣ）２から電子機器（テレビ）１に向けて、出力される。
【００２０】
すなわち、他の電子機器（タブレットＰＣ）２は、ユーザ操作により指定された、部分拡大表示する映像（「山」）の位置の情報を、無線ＬＡＮ等を経由して、電子機器１へ向けて送信する。
【００２１】
そして、電子機器１は、他の電子機器（タブレットＰＣ）２から出力された、映像（「山」）の拡大表示の位置情報を取得する（取得部）。
【００２２】
そして、電子機器１は、取得された映像（「山」）の拡大表示の位置情報を用い、拡大表示用の映像信号を生成し、表示画面（映像表示部）８に表示出力する（表示部、メインスクリーン）。
【００２３】
ここで、トランスコード（Ｔｒａｎｓｃｏｄｅ）とは、例えば、デジタル映像信号を、元の信号に複合処理（デコード）しないで、別の形式の圧縮データを生成する技術である。
【００２４】
そして、トランスコードするものをトランスコーダという。例えば、ビットレートが１５Ｍｂｐｓのデジタル映像を、デコード・再エンコードしないで、８Ｍｂｐｓにするといった作業である。原理的には、一旦デコードしてから目的のビットレートで再エンコードするよりも、高速に変換でき、また画質の劣化を防ぐことができる。
【００２５】
また、トランスコードは動画データの変換前後の動画圧縮コードが同種の場合に、解像度を下げたり、フレーム間予測情報を少ない演算で不可逆圧縮したり、等、動画データのサイズを小さくすることが可能である。
【００２６】
図２は、実施形態に係る電子機器の構成と他の電子機器の構成を示すブロック図である。
【００２７】
テレビ等の電子機器（メインスクリーン）１は、表示画面（映像表示部）８に、所望の映像を表示出力する。
【００２８】
例えば、電子機器（テレビ）１の映像入力部１０２は、放送、ビデオカメラなどの外部機器、ディスクやカード等の記録媒体等から入力される映像データを受信する。そして、受信した映像データを、トランスコーダ１０３およびデコーダ１１０へ向けて出力する。
【００２９】
トランスコーダ１０３は、必要に応じ、映像入力部１０２から出力された映像データをタブレットＰＣ等の電子機器（セカンドスクリーン）２が映像を表示することが可能な映像コーデック形式に変換する。
【００３０】
この映像コーデック形式の変換は、例えば、映像入力部１０２から出力される映像データのコーデック形式はＨＥＶＣ（Ｈｉｇｈ Ｅｆｆｉｃｉｅｎｃｙ Ｖｉｄｅｏ Ｃｏｄｉｎｇ）またはＨ．２６５（ＩＳＯ/ＩＥＣ ２３００８−２）等であり、これをＨ．２６４等の映像コーデック形式等に変換する。
【００３１】
ここで、ＨＥＶＣまたはＨ．２６５とは、動画圧縮規格の一つで、Ｈ.２６４/ＭＰＥＧ−４ ＡＶＣの後続フォーマットである。
【００３２】
送出用映像信号生成部１０４は、信号送出部１０５で無線通信などにより送出される信号フォーマットに則った映像信号を生成する。
【００３３】
信号送出部１０５は、送出用映像信号生成部１０４で生成された映像信号を、無線通信などによって、外部のデバイス（電子機器（タブレットＰＣ）２等）に向けて出力する。
【００３４】
信号受信部１０６は、外部のデバイス（他の電子機器（タブレットＰＣ）２）から無線通信等によって送信された信号を受信する。
【００３５】
拡大表示位置情報取得部１０７は、信号受信部１０６で受信した信号の中から、外部のデバイス（他の電子機器（タブレットＰＣ）２）から送信された拡大位置情報のデータ信号を取得する。
【００３６】
拡大表示位置軌跡情報記録部１０８は、拡大表示位置情報取得部１０７で取得した拡大位置情報について、例えば、再生時刻位置毎の拡大表示指定位置の軌跡情報を記録する。
【００３７】
拡大表示領域決定処理部１０９は、拡大表示位置情報取得部１０７で取得した拡大表示する指定位置情報、または、拡大表示位置軌跡情報記録部１０８から取得した再生時刻位置に対応する拡大表示指定位置情報に基づいて、拡大表示する領域を決定する。
【００３８】
デコーダ１１０は、映像入力部１０２から出力された映像データをデコード処理する。
【００３９】
拡大映像信号生成部１１１は、デコーダ１１０でデコード処理された映像信号と、拡大表示領域決定処理部(109)にて決定された拡大表示する領域の情報により部分拡大した映像信号を生成する。
【００４０】
映像信号表示処理部１１２は、拡大映像信号生成部１１１で生成された映像信号を受け取り、ディスプレイ１１３への入力映像信号を生成する。
【００４１】
ディスプレイ１１３は、映像信号表示処理部１１２で処理された映像信号を受け取り、映像を表示する。
【００４２】
ここでは、セカンドスクリーン（他の電子機器２）は、タブレットや携帯端末等であり、メインスクリーン（電子機器（テレビ等）１）から送られてくる映像信号を受信して表示すると共に、ユーザ操作入力部２０６で入力された拡大表示の指定位置情報をメインスクリーン（電子機器（テレビ等）１）へ向けて、出力する。
【００４３】
また、他の電子機器２の信号受信部２０２は、例えば、電子機器（テレビ）１等から、無線通信などによって送られてくる信号を受信する。
【００４４】
デコーダ２０３は、信号受信部２０２で受信した、メインスクリーン（電子機器（テレビ等）１）のデバイスから送られてきた映像信号をデコード処理する。
【００４５】
映像信号表示処理部２０４は、デコーダ２０３でデコード処理された映像信号を受け取り、ディスプレイ２０５（表示画面９）への入力映像信号を生成する。
【００４６】
ディスプレイ２０５（表示画面９）は、映像信号表示処理部２０４で処理された映像信号を受け取り、映像を表示する。
【００４７】
ユーザ操作入力部２０６は、ディスプレイ２０５（表示画面９）上にあるタッチセンサーやポインティングデバイスなどで実装されるもので、タッチ操作等のユーザ操作が入力される。
【００４８】
拡大表示位置情報取得部２０７は、ユーザ操作入力部２０６から受け取った信号から拡大表示する映像（「山」）の位置の情報を取得する。
【００４９】
送出用位置情報信号生成部２０８は、拡大表示位置情報取得部２０７で取得した拡大表示する位置の情報を受け取り、信号送信部２０９で無線通信等により送出される信号フォーマットに則ったデータ信号を生成する。
【００５０】
信号送出部２０９は、送出用位置情報信号生成部２０８で生成された位置情報データ信号を、無線通信等によって、電子機器（テレビ）１等の外部のデバイスに向けて送出する。
【００５１】
図３は、実施形態に係る電子機器と他の電子機器の動作を説明するフローチャートである。
【００５２】
ステップＳ１００は、ここでの開始ステップである。続いて、ステップＳ１０１に進む。
【００５３】
ステップＳ１０１は、電子機器（テレビ）１の 映像入力部１０２で、入力映像信号を取り込むステップである。続いて、ステップＳ１０２に進む。
【００５４】
ステップＳ１０２は、上記取り込んだ入力映像信号を、他の電子機器（タブレットＰＣ）２で表示することが可能なフォーマットの映像信号に、例えば、トランスコーダ１０３を用い、変換処理するステップである。続いて、ステップＳ１０３に進む。
【００５５】
ステップＳ１０３は、例えば、送出用映像信号生成部１０４で、上記トランスコードされた映像信号から他の電子機器（タブレットＰＣ）２に送出し、表示可能なフォーマットの信号を生成するステップである。続いて、ステップＳ１０４に進む。
【００５６】
ステップＳ１０４は、上記生成された送出用映像信号を、信号送出部１０５から、他の電子機器（タブレットＰＣ）２に向けて送出するステップである。続いて、ステップＳ２０１に進む。
【００５７】
ステップＳ２０１は、電子機器（テレビ）１から出力された映像信号を、他の電子機器（タブレットＰＣ）２の信号受信部２０２で受信するステップである。続いて、ステップＳ２０２に進む。
【００５８】
ステップＳ２０２は、上記他の電子機器（タブレットＰＣ）２が受信した映像信号をデコーダ２０３において、デコード処理するステップである。続いて、ステップＳ２０３に進む。
【００５９】
ステップＳ２０３は、上記デコード処理された映像信号を、他の電子機器（タブレットＰＣ）２の映像信号表示処理部で表示用の処理を行うステップである。続いて、ステップＳ２０４に進む。
【００６０】
ステップＳ２０４は、上記処理された表示用映像信号を、他の電子機器（タブレットＰＣ）２のディスプレイ２０５（表示画面９）に表示するステップである。続いて、ステップＳ２０５に進む。
【００６１】
ステップＳ２０５は、他の電子機器（タブレットＰＣ）２のユーザ操作入力部２０６において、ユーザ操作３２に応じた信号を取り込むステップである。続いて、ステップＳ２０６に進む。
【００６２】
ステップＳ２０６は、上記取り込まれたユーザ操作に応じた信号の中から、他の電子機器（タブレットＰＣ）２の拡大位置情報取得部２０７において、ユーザが指定した拡大表示の位置情報を取得するステップである。続いて、ステップＳ２０７に進む。
【００６３】
ステップＳ２０７は、上記取得されたユーザ指定の拡大表示位置情報より、他の電子機器（タブレットＰＣ）２の送出用位置情報信号生成部２０８において、電子機器（テレビ）１への送信用フォーマットに則った位置データ信号を生成するステップである。続いて、ステップＳ２０８に進む。
【００６４】
ステップＳ２０８は、上記生成された送出用位置情報信号を、他の電子機器（タブレットＰＣ）２の信号送信部２０９から電子機器（テレビ）１に向けて送信するステップである。続いて、ステップＳ３０１に進む。
【００６５】
ステップＳ３０１は、電子機器（テレビ）１が、上記送信された拡大表示位置情報を電子機器（テレビ）１の信号受信部１０６で受信するステップである。続いて、ステップＳ３０２に進む。
【００６６】
ステップＳ３０２は、拡大表示位置情報取得部１０７において、受信した信号から拡大表示指定位置の情報を取得するステップである。続いて、ステップＳ３０３に進む。
【００６７】
ステップＳ３０３は、上記取得した拡大表示指定位置の情報から、再生時刻位置に対する拡大表示指定位置の軌跡情報を記録するステップである。続いて、ステップＳ３０４に進む。
【００６８】
ステップＳ３０４は、上記取得した拡大表示指定位置の情報を、直接用いるか、または、これをステップＳ３０３にて再生時刻位置に対して記録された拡大表示指定位置の軌跡情報から現在再生している時刻位置に対応した拡大表示指定位置の情報を取り出して用いて、拡大表示領域決定処理部１０９にて、元の全体画面内で拡大表示する領域を決定するステップである。続いて、ステップＳ３０５に進む。
【００６９】
ステップＳ３０５は、上記ステップＳ３０１で取り込んだ入力映像信号を、デコーダ１１０でデコード処理するステップである。続いて、ステップＳ３０６に進む。
【００７０】
ステップＳ３０６は、上記決定された全体画面内で拡大表示する領域の情報と、ステップＳ３０５でデコード処理された映像信号より、拡大映像信号生成部１１１において、部分拡大表示される映像（「山」）の映像信号を生成するステップである。続いて、ステップＳ３０７に進む。
【００７１】
ステップＳ３０７は、上記生成された部分拡大表示用映像信号を受け取り、映像信号表示処理部１１２において、ディスプレイ１１３（表示画面９）への入力映像信号を生成するステップである。続いて、ステップＳ３０８に進む。
【００７２】
ステップＳ３０８は、上記生成されたディスプレイ入力映像信号を受け取り、ディスプレイ１１３（表示画面９）で部分拡大表示した映像（「山」）を表示出力するステップである。続いて、ステップＳ３１０に進む。
【００７３】
ステップＳ３１０は、終了ステップであり、ここでの処理は終了する。
【００７４】
図４は、実施形態に係る電子機器の動作を説明するフローチャートである。
【００７５】
ステップＳ４００は、ここでの開始ステップである。続いて、ステップＳ４０１に進む。
【００７６】
ステップＳ４０１は、ディスプレイ（表示画面）８に映像を表示出力するステップである。続いて、ステップＳ４０２に進む。
【００７７】
ステップＳ４０２は、ディスプレイ（表示画面）８に表示出力された映像の映像データを、予め設定されている他の電子機器（タブレットＰＣ）２でデコードおよび表示可能となるようにトランスコードし、他の電子機器２に向けて出力するステップである。続いて、ステップＳ４０３に進む。
【００７８】
ステップＳ４０３は、他の電子機器２から出力された、映像の拡大表示の位置情報を含む信号を受信したかを検出するステップである。
【００７９】
他の電子機器２から出力された、映像の拡大表示の位置情報を含む信号を受信したと検出される場合は、ステップＳ４０４に進む（Ｙｅｓ）。他の電子機器２から出力された、映像の拡大表示の位置情報を含む信号を受信したと検出されない場合は、ステップＳ４０１に進み、上記処理を繰り返す（Ｎｏ）。
【００８０】
ステップＳ４０４は、他の電子機器２がユーザに操作され、他の電子機器２から出力された、映像の拡大表示の位置情報を取得するステップである。続いて、ステップＳ４０５に進む。
【００８１】
ステップＳ４０５は、取得された拡大表示の位置情報を用い、拡大表示用の映像信号を生成するステップである。続いて、ステップＳ４０６に進む。
【００８２】
ステップＳ４０６は、生成された拡大表示用映像信号を用い、ユーザに操作された拡大表示位置を含む拡大表示映像をディスプレイ８に表示出力するステップである。続いて、ステップＳ４０７に進む。
【００８３】
ステップＳ４０７は、終了ステップであり、ここでの処理は終了する。
【００８４】
すなわち、この実施形態に係る電子機器１は、映像表示部８に表示された映像の映像データを、予め設定されている他の電子機器２で表示可能となるようにトランスコードして出力する出力部を備える。
【００８５】
また、前記他の電子機器２から出力された、映像の拡大表示の位置情報を取得する取得部を備える。
【００８６】
また、前記取得された映像の拡大表示の位置情報を用い、拡大表示用の映像信号を生成し、前記映像表示部８に表示する表示部を備える。
【００８７】
また、前記映像の拡大表示の位置情報は、前記他の電子機器２がユーザ操作３２された情報である。
【００８８】
また、前記映像の拡大表示の位置情報を含む信号の受信を検出する検出部を備える。
【００８９】
また、前記映像の拡大表示の位置情報を含む信号の受信が検出された場合に、前記拡大表示用の映像信号を生成する。
【００９０】
また、前記ユーザ操作３２は、タッチ操作を含む。
【００９１】
上記のように構成することによって、この実施形態においては、比較的映像表示部が大きい電子機器と、この電子機器よりも比較的映像表示部が小さい電子機器（他の電子機器）が無線ＬＡＮ等で接続されている場合に、比較的映像表示部が小さい他の電子機器に表示された映像の一部を拡大し、比較的映像表示部が大きい電子機器で視聴できるようにして、ユーザの利便性を向上させることが可能になるという効果がある。
【００９２】
また、上記のように構成することによって、動きの速い被写体や遠くから撮影する被写体の撮影など、写したい箇所の周辺を広く撮影しておいた場合に、ユーザが拡大表示前の全体映像を他の電子機器（タブレットＰＣ）２の表示画面で見ながら、部分拡大表示させたい位置を指定して、電子機器（テレビ）１に部分拡大映像を表示させることが可能になる。
【００９３】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００９４】
なお、上記実施形態は、記述そのものに限定されるものではなく、実施段階では、その趣旨を逸脱しない範囲で、構成要素を種々変形して具体化することが可能である。
【００９５】
また、上記実施形態に開示されている複数の構成要素の適宜な組み合せにより種々の発明を形成できる。
【００９６】
例えば、実施形態に示される全構成要素から幾つかの構成要素を削除してもよい。更に、異なる実施形態に亘る構成要素を適宜組み合せてもよい。
【符号の説明】
【００９７】
１…電子機器（テレビ）、２…電子機器（タブレットＰＣ）、８…表示画面（映像表示部）、９…表示画面（映像表示部）、３２…ユーザ操作。
【図１】
2014209693.tif 000003
【図２】
2014209693.tif 000004
【図３】
2014209693.tif 000005
【図４】
2014209693.tif 000006